(57)【要約】【課題】指で触れられた範囲がわかりやすく出力の大きさを容易に視認できる出力調整装置および照明器具を提供する。【解決手段】出力の大きさを示す出力表示部３０Ａは、端部にＬＥＤ発光部３２が設けられた導光板３１を有する。このため、ＬＥＤ発光部３２の照度に応じて、導光板３１は長手方向に対応した長さだけ連続して発光させることができる。また、導光板３１の表面を指で触れた際に、導光板３１の直下に設けられている静電センサ３６が、どこまで触れられたか検出するので、制御部４０Ａの出力表示制御部４２がＬＥＤ発光部３２の照度を制御する。これにより、指で触れられた範囲がわかりやすく、出力の大きさを容易に視認できる。【選択図】図１
2014011056.tif 000002
【特許請求の範囲】
【請求項１】
出力の大きさを示す出力表示部と、
出力の大きさを調整する制御部と、を有し、
前記出力表示部が、
線状の導光板と、
前記導光板の直下に前記導光板の長手方向に沿って配置されたセンサと、
前記導光板の端部に設けられて前記長手方向に向けて発光するＬＥＤ発光部と、を有し、
前記制御部が、
前記センサからの信号に応じて前記ＬＥＤ発光部の照度を制御する出力表示制御部と、
前記センサからの信号に基づいて出力する出力部と、を有する出力調整装置。
【請求項２】
出力の大きさを示す出力表示部と、
出力の大きさを調整する制御部と、を有し、
前記出力表示部が、
線状の導光板と、
前記導光板の直下に前記導光板の長手方向に沿って配置されたセンサと、
１つ以上のＬＥＤと、を有し、
前記制御部が、
前記センサからの信号に応じて前記ＬＥＤを制御する出力表示制御部と、
前記センサからの信号に基づいて出力する出力部と、を有する出力調整装置。
【請求項３】
請求項１または請求項２に記載の出力調整装置において、
前記導光板が、平面視湾曲形状である出力調整装置。
【請求項４】
請求項１ないし請求項３のうちのいずれか１項に記載の出力調整装置を用いて照度を調整する照明器具。
【発明の詳細な説明】
【技術分野】
【０００１】
本発明は、出力調整装置およびこれを用いた照明器具に関するものである。
【背景技術】
【０００２】
従来より、指で触れて移動することにより、出力を調整する出力調整装置およびこれを用いた照明器具が知られている（例えば、非特許文献１参照）。
図９（Ａ）に示すように、非特許文献１に記載の照明器具１００は、基台１０１、基台１０１から上方に延びる支持脚１０２、支持脚１０２の上端から水平方向に斜めに延びるアーム１０３を有する。アーム１０３には、下方を照明する光源（図示省略）が設けられている。また、基台１０１の上面には、出力調整装置１０４が設けられている。
【０００３】
図９（Ｂ）に示すように、出力調整装置１０４では、基台１０１の表面に複数個のＬＥＤ１０５が直線状に配列され、ＬＥＤ１０５の下側にはセンサ（図示省略）が設けられている。
従って、ＬＥＤ１０５を指で触れると、センサが触れられたことを検出し、ＬＥＤ１０５を触れながら指を右へ移動させるに伴って、出力が増す。
すなわち、最も左のＬＥＤ１０５Ａは、ＯＮ／ＯＦＦスイッチを兼ねており、最も右のＬＥＤ１０５Ｂは、最高出力であることを示す。
【０００４】
従って、照明器具１００を点灯させるときにはＬＥＤ１０５Ａを指で触れ、所望の照度が得られるまでＬＥＤ１０５に触れながら指を右方向へ移動する。これにより、センサがどのＬＥＤ１０５まで指で触れられたか検出して、光源に供給する電力を調整して照明器具１００の照度（出力）を調整する。
【先行技術文献】
【非特許文献】
【０００５】
【非特許文献１】Ｐｈｉｌｉｐｓ社［ｏｎｌｉｎｅ］、平成２４年２月１４日、Koninklijke Philips Electronics NV、［平成２４年５月３１日検索］、インターネット＜http://download.p4c.philips.com/files/6/691953166/691953166_pss_zhs.pdf＞
【発明の概要】
【発明が解決しようとする課題】
【０００６】
しかしながら、上述した照明器具１００に用いられている出力調整装置１０４においては、ＬＥＤ１０５が一定間隔で独立して配置されている。このため、指で触れたＬＥＤ１０５が指に隠れるため、出力の大きさが視認しづらいという問題があった。
【０００７】
本発明は、従来の問題を解決するためになされたもので、指で触れられた範囲がわかりやすく出力の大きさを容易に視認できる出力調整装置および照明器具を提供することを目的とする。
【課題を解決するための手段】
【０００８】
本発明の出力調整装置は、出力の大きさを示す出力表示部と、出力の大きさを調整する制御部と、を有し、前記出力表示部が、線状の導光板と、前記導光板の直下に前記導光板の長手方向に沿って配置されたセンサと、前記導光板の端部に設けられて前記長手方向に向けて発光するＬＥＤ発光部と、を有し、前記制御部が、前記センサからの信号に応じて前記ＬＥＤ発光部の照度を制御する出力表示制御部と、前記センサからの信号に基づいて出力する出力部と、を有するものである。
【０００９】
また、本発明の出力調整装置は、出力の大きさを示す出力表示部と、出力の大きさを調整する制御部と、を有し、前記出力表示部が、線状の導光板と、前記導光板の直下に前記導光板の長手方向に沿って配置されたセンサと、１つ以上のＬＥＤと、を有し、前記制御部が、前記センサからの信号に応じて前記ＬＥＤを制御する出力表示制御部と、前記センサからの信号に基づいて出力する出力部と、を有するものである。
【００１０】
また、本発明の出力調整装置は、前記導光板が、平面視湾曲形状であるものである。
【００１１】
さらに、本発明の照明器具は、前述した出力調整装置を用いて照度を調整するものである。
【発明の効果】
【００１２】
本発明は、出力の大きさを示す出力表示部が、端部にＬＥＤ発光部が設けられた導光板を有するので、ＬＥＤ発光部の照度に応じて、導光板の長手方向に対応した長さだけ連続して照らされる。また、導光板の表面を指で触れた際に、導光板の直下に設けられているセンサが、どこまで触れられたか検出するので、制御部の出力表示制御部がＬＥＤ発光部を制御してＬＥＤ発光部の照度を制御する。これにより、指で触れられた範囲がわかりやすく、出力の大きさを容易に視認できるという効果を有する出力調整装置および照明器具を提供できる。
【図面の簡単な説明】
【００１３】
【図１】（Ａ）は本発明に係る第１実施形態の照明器具の斜視図であり、（Ｂ）は（Ａ）中Ｂ−Ｂ位置の断面図
【図２】出力表示部の分解斜視図
【図３】出力表示部の長手方向に沿った断面図
【図４】出力調整装置の構成を示すブロック図
【図５】出力調整動作を示すフローチャート
【図６】本発明に係る第２実施形態の出力調整装置における出力表示部の分解斜視図
【図７】出力表示部の長手方向に沿った断面図
【図８】出力調整装置の構成を示すブロック図
【図９】（Ａ）は従来の照明器具の斜視図であり、（Ｂ）は（Ａ）中Ｂ方向から見た出力調整装置の平面図
【発明を実施するための形態】
【００１４】
（第１実施形態）
以下、本発明に係る第１実施形態の出力調整装置および照明器具について、図面を用いて説明する。
図１（Ａ）に示すように、本発明に係る実施形態の照明器具１０Ａは、例えば机等に載置して、下方を照明するのに用いることができる。
【００１５】
照明器具１０Ａは、机等の載置される円板状の基台１１と、基台１１から上方または斜め上方に延びる支持脚１２と、支持脚１２の上端に取り付けられる灯具１３を有する。
支持脚１２は、基台１１に対して回転可能に設けることもできる。
また、灯具１３は、光源１３１（図４参照）を有しており、支持脚１２に対して、上下、左右に回動可能に設けることができる。さらに、灯具１３の長手方向の軸線回りに回転可能に設けることができる。
これにより、照明方向を自由に設定することができる。
【００１６】
図１（Ｂ）に示すように、基台１１には出力調整装置２０Ａが設けられており、基台１１の表面には出力の大きさを示す出力表示部３０Ａが設けられている。
また、基台１１の内部には制御部４０Ａ（図４参照）が収容されており、基台１１の表面における出力表示部３０Ａの中心部にＯＮ／ＯＦＦスイッチ４１が設けられている。ＯＮ／ＯＦＦスイッチ４１として静電タッチスイッチを用いることができる。
【００１７】
図２に示すように、出力表示部３０Ａは、全体Ｃ字形状（線状）の導光板３１を有しており、端面（端部）３１１には、基板３２１にＬＥＤ３２２が実装されたＬＥＤ発光部３２が取り付けられる。導光板３１の外側面３１２および内側面３１３は、光漏れ防止のため、白色に塗装されている。
導光板３１の上側には、基台１１の上面に露出する拡散板３３が取り付けられ、導光板３１の下側には、反射板３４が取り付けられる。
拡散板３３、導光板３１、反射板３４は、平面視で同形状である。
なお、後述するように、拡散板３３の表面に沿って指を移動させるため、拡散板３３を基台１１の表面から一段窪ませて設けることができる。
【００１８】
従って、図３に示すように、ＬＥＤ発光部３２のＬＥＤ３２２が、導光板３１の長手方向に向かって光を発すると、導光板３１内を進み、一部は上方に向かって拡散板３３を発光させる。また、一部は下方に向かって反射板３４に達し、上方に反射して拡散板３３を発光させる。
このとき、ＬＥＤ３２２の出力に対応して、拡散板３３の発光部分Ｌの長さが決定される。
【００１９】
図２および図３に示すように、反射板３４の下側には、反射板３４と同じ形状のセンサ基板３５が取り付けられる。
センサ基板３５は、反射板３４側の上面に所定間隔で複数のセンサである静電センサ３６（３６Ａ〜３６Ｈ）が取り付けられている。
図３に示すように、拡散板３３の上面における所定位置を指Ｆで触れると、静電容量の変化から、指Ｆの位置が静電センサ３６Ｃにより検知される。
【００２０】
図４に示すように、基台１１に設けられている出力調整装置２０Ａは、制御部４０Ａを有する。
制御部４０Ａは、商用電源やバッテリー等の電源部１４から電力の供給を受け、出力表示制御部４２、記憶部４３、出力部４４を有する。
出力表示制御部４２は、出力表示部３０ＡのＬＥＤ３２２の照度を制御する。記憶部４３は、オフにしたときの最終照度を記憶する。出力部４４は、灯具１３の光源１３１に供給する点灯電力を制御する。
また、制御部４０Ａには、ＯＮ／ＯＦＦスイッチ４１および出力表示部３０Ａの静電センサ３６が接続されている。
【００２１】
次に、図４および図５に基づいて、出力調整装置２０Ａを用いた調光動作について説明する。
ＯＮ／ＯＦＦスイッチ４１をオン（ステップＳ１）にすると、制御部４０Ａは初めてのオンか否かを判断する（ステップＳ２）。初めてのオンの場合には、出力部４４を制御して、最低の照度（出力）で照明器具１０Ａの光源１３１を点灯させる（ステップＳ３）。初めてのオンではない場合には、制御部４０Ａは記憶部４３に記憶されている前回点灯時の最終照度を呼び出して、出力部４４により前回消灯時の照度となるように、光源１３１に電力を供給して点灯する（ステップＳ４）。このとき、出力表示部３０Ａも、前回の終了時と同じ照度でＬＥＤ３２２を発光させる。
【００２２】
この状態で、ユーザは指で出力表示部３０Ａの拡散板３３の表面に触れ、指を移動させて調光する（ステップＳ５）。例えば、図１（Ｂ）において、時針方向（矢印Ａ）に移動させると、出力を増し、反時針方向（矢印Ｂ）に移動させると、出力を減少させるようにする。
このとき、指で触れた位置を静電センサ３６が検知して制御部４０Ａに伝達する。制御部４０Ａの出力表示制御部４２は、静電センサ３６からの信号に基づいて、指で触れた位置まで導光板３１および拡散板３３を発光させるように、ＬＥＤ３２２の照度を制御する。同時に、出力部４４は、静電センサ３６からの信号に基づいて光源１３１に出力する。
【００２３】
出力調整装置２０Ａは、ＯＮ／ＯＦＦスイッチ４１がオフとなったかを監視し（ステップＳ６）、オフとして照明器具１０Ａの使用を終了した場合には、このときの照度を最終照度として記憶部４３に記憶する（ステップＳ７）。
そして、消灯する（ステップＳ８）。
【００２４】
以上、説明した本発明に係る第１実施形態の出力調整装置２０Ａによれば、出力の大きさを示す出力表示部３０Ａは、端面３１１にＬＥＤ発光部３２が設けられた導光板３１を有する。このため、ＬＥＤ発光部３２の照度に応じて、導光板３１の長手方向に対応した長さだけ連続して発光させることができる。
また、導光板３１を指で触れた際に、導光板３１の直下に設けられている複数の静電センサ３６が、どこまで触れられたか検出するので、制御部４０Ａの出力表示制御部４２がＬＥＤ発光部３２の照度を制御する。同時に、静電センサ３６からの信号に基づいて光源１３１に出力する。
これにより、指で触れられた範囲がわかりやすく、出力の大きさを容易に視認できる。
また、記憶部４３が出力オフ時の最終出力を記憶し、出力オンとしたときに、出力部４４が記憶されている最終出力で表示を開始する。
このため、容易に前回使用の照度で出力表示部を照らすことができる。
【００２５】
また、導光板３１が、平面視でＣ字形状に湾曲しているので、出力表示部３０Ａの設置スペースを小さくできる。
【００２６】
さらに、本発明に係る第１実施形態の照明器具１０Ａによれば、前述した出力調整装置２０Ａを用いて光源１３１の照度を調光するので、指で触れられた範囲がわかりやすく、出力の大きさを容易に視認できる。
また、記憶部４３が出力オフ時の最終出力を記憶し、出力オンとしたときに、出力部４４が記憶されている最終出力で表示を開始するので、容易に前回使用の照度で出力表示部３０Ａを照らすことができる。
さらに、導光板３１が、平面視でＣ字形状を呈しているので、出力表示部３０Ａの設置スペースを小さくできる。
【００２７】
（第２実施形態）
次に、本発明に係る第２実施形態の出力調整装置２０Ｂおよび照明器具１０Ｂについて説明する。
なお、前述した第１実施形態に係る出力調整装置２０Ａおよび照明器具１０Ａと共通する部位には同じ符号を付して、重複する説明を省略することとする。
【００２８】
図６に示すように、第２実施形態の出力調整装置２０Ｂにおける出力表示部３０Ｂでは、反射板３４と同じ形状のセンサ基板３５の上面に所定間隔で複数の静電センサ３６（３６Ａ〜３６Ｈ）が取り付けられ、センサ基板３５の下面に複数のＬＥＤ３７が設けられている。
図７に示すように、ＬＥＤ３７の光は、センサ基板３５の貫通孔３９を通じて導光部材３８に導光され、発光される。
従って、導光部材３８の表面を指で触ると、指Ｆの位置が該当する静電センサ３６により検知され、対応するＬＥＤ３７から発せられた光は、導光部材３８に導光され発光される。
【００２９】
このとき、図８に示すように、制御部４０Ｂは、静電センサ３６からの信号に基づいて、該当するＬＥＤ３７を点灯させる。
すなわち、例えば静電センサ３６Ａ（図６参照）が静電容量の変化を検知すると、出力表示制御部４２が、静電センサ３６Ａに対応して設けられているＬＥＤ３７ＡやＬＥＤ３７Ｂを点灯させる。同様に、静電センサ３６Ｂに接触した場合には、ＬＥＤ３７ＢからＬＥＤ３７Ｃまで、すなわちＬＥＤ３７Ａに対応する箇所から対応する箇所までを点灯させる（図１（Ｂ）中、発光部分(斜線部分)Ｌ参照）。
同時に、制御部４０Ｂの出力部４４は、発光部分Ｌの長さ（周長）に応じて出力して、光源１３１を点灯させる。
なお、出力調整装置２０Ｂを用いた調光動作は、図５において前述した第１実施形態の場合と同様なので、説明を省略する。
【００３０】
以上、説明した本発明に係る第２実施形態の出力調整装置２０Ｂによれば、前述した第１実施形態の出力調整装置２０Ａと同様の作用および効果を得ることができるので、指で触れられた範囲がわかりやすく、出力の大きさを容易に視認できる。
また、記憶部が出力オフ時の最終出力を記憶し、出力オンとしたときに、出力部が記憶されている最終出力で表示を開始する。
このため、容易に前回使用の照度で出力表示部を照らすことができる。
【００３１】
また、本発明に係る第２実施形態の照明器具１０Ｂによれば、前述した照明器具１０Ａと同様の作用、効果を得ることができる。
【００３２】
なお、本発明の出力調整装置および照明器具は、前述した各実施形態に限定されるものでなく、適宜な変形、改良等が可能である。
例えば、前述した各実施形態において、線状の導光板３１として、平面視Ｃ字形状の場合を例示したが、本発明は、円形、半円形、楕円形、長方形等にも適用可能である。
【符号の説明】
【００３３】
１０Ａ、１０Ｂ  照明器具
２０Ａ、２０Ｂ  出力調整装置
３０Ａ、３０Ｂ  出力表示部
３１  導光板
３１１  端面（端部）
３２  ＬＥＤ発光部
３６  静電センサ
３７  ＬＥＤ
４０Ａ、４０Ｂ  制御部
４２  出力表示制御部
４３  記憶部
４４  出力部
【図１】
2014011056.tif 000003
【図２】
2014011056.tif 000004
【図３】
2014011056.tif 000005
【図４】
2014011056.tif 000006
【図５】
2014011056.tif 000007
【図６】
2014011056.tif 000008
【図７】
2014011056.tif 000009
【図８】
2014011056.tif 000010
【図９】
2014011056.tif 000011